(57)【要約】【課題】過去に情報処理の対象として選択されたデータと同じ格納先に格納されたデータの一覧表示を、手動により格納先を探索する場合に比べて簡便な操作により行うこと。【解決手段】本発明に係る情報処理装置は、ユーザにより情報処理の対象として選択されたデータの履歴を履歴情報に記録する記録部と、前記履歴情報に記録された前記履歴の一覧である履歴一覧を表示する履歴表示部と、前記履歴一覧に表示されたいずれかの前記履歴に係る前記データの格納先を選択する選択部と、選択された格納先に格納されたデータの一覧である格納先データ一覧を表示する格納先データ表示部と、を有する。【選択図】図３
2015141576.tif 000002
【特許請求の範囲】
【請求項１】
ユーザにより情報処理の対象として選択されたデータの履歴を履歴情報に記録する記録部と、
前記履歴情報に記録された前記履歴の一覧である履歴一覧を表示する履歴表示部と、
前記履歴一覧に表示されたいずれかの前記履歴に係る前記データの格納先を選択する選択部と、
選択された格納先に格納されたデータの一覧である格納先データ一覧を表示する格納先データ表示部と、
を有する情報処理装置。
【請求項２】
前記記録部は、ユーザにより閲覧された格納先の履歴を前記履歴情報に記録し、
前記選択部は、前記履歴一覧に表示されたいずれかの前記履歴に係る前記格納先を選択する、請求項１に記載の情報処理装置。
【請求項３】
前記記録部は、前記格納先データ一覧が予め定められた時間表示された格納先の履歴を前記履歴情報に記録する、請求項２に記載の情報処理装置。
【請求項４】
前記記録部は、予め定められた操作がユーザにより行われたデータおよび格納先の少なくともいずれかの履歴を前記履歴情報に記録し、
前記選択部は、前記履歴一覧に表示された前記履歴に係る前記データおよび前記格納先の少なくともいずれかを選択する、
請求項１から３のいずれかに記載の情報処理装置。
【請求項５】
前記記録部は、ユーザにより複製操作または移動操作がされたデータおよび格納先の少なくともいずれかの履歴を前記履歴情報に記録し、
前記選択部は、前記履歴一覧に表示された前記履歴に係る前記データおよび前記格納先の少なくともいずれかのうち、前記複製操作がされる前の該格納先か、前記複製操作または前記移動操作がされた後の該格納先か、前記複製操作または前記移動操作がされる前の該データの格納先か、前記複製操作または移動操作がされた後の該データの格納先か、のいずれかを選択する、請求項１から４のいずれかに記載の情報処理装置。
【請求項６】
前記選択部は、前記履歴一覧に表示された前記履歴に係る前記データのうち、前記複製操作がされる前の該データか、前記複製操作または前記移動操作がされた後の該データのいずれかを選択し、
前記情報処理装置は、前記選択部により選択された前記データの内容を表す画像を表示するデータ内容表示部を有する、請求項５に記載の情報処理装置。
【請求項７】
ユーザにより情報処理の対象として選択されたデータの履歴を履歴情報に記録する記録部を有するサーバ装置と、
前記履歴情報に記録された前記履歴の一覧である履歴一覧を表示する履歴表示部と、
前記履歴一覧に表示されたいずれかの前記履歴に係る前記データの格納先を選択する選択部と、
選択された格納先に格納されたデータの一覧である格納先データ一覧を表示する格納先データ表示部を有する情報処理装置と、
を有する情報処理システム。
【請求項８】
コンピュータを、
ユーザにより情報処理の対象として選択されたデータの履歴を履歴情報に記録する記録部と、
前記履歴情報に記録された前記履歴の一覧である履歴一覧を表示する履歴表示部と、
前記履歴一覧に表示されたいずれかの前記履歴に係る前記データの格納先を選択する選択部と、
選択された格納先に格納されたデータの一覧である格納先データ一覧を表示する格納先データ表示部と、
を有する情報処理装置として機能させるプログラム。
【発明の詳細な説明】
【技術分野】
【０００１】
本発明は、情報処理装置、情報処理システムおよびプログラムに関する。
【背景技術】
【０００２】
特許文献１には、ドキュメントに対するアクセス履歴を保持し、このアクセス履歴に記録された複数のドキュメントについて、各ドキュメントをアクセス日時に基づいて複数の集合に分類したり、各ドキュメントをアクセス頻度が高い順に並べて表示したりすることが記載されている。
【先行技術文献】
【特許文献】
【０００３】
【特許文献１】特開平１０−１１４５８号公報
【発明の概要】
【発明が解決しようとする課題】
【０００４】
本発明の目的は、過去に情報処理の対象として選択されたデータと同じ格納先に格納されたデータの一覧表示を、手動により格納先を探索する場合に比べて簡便な操作により行うことである。
【課題を解決するための手段】
【０００５】
本発明の請求項１に記載発明は、ユーザにより情報処理の対象として選択されたデータの履歴を履歴情報に記録する記録部と、前記履歴情報に記録された前記履歴の一覧である履歴一覧を表示する履歴表示部と、前記履歴一覧に表示されたいずれかの前記履歴に係る前記データの格納先を選択する選択部と、選択された格納先に格納されたデータの一覧である格納先データ一覧を表示する格納先データ表示部と、を有する情報処理装置である。
【０００６】
また、請求項２に記載の発明は、前記記録部は、ユーザにより閲覧された格納先の履歴を前記履歴情報に記録し、前記選択部は、前記履歴一覧に表示されたいずれかの前記履歴に係る前記格納先を選択する、請求項１に記載の情報処理装置である。
【０００７】
また、請求項３に記載の発明は、前記記録部は、前記格納先データ一覧が予め定められた時間表示された格納先の履歴を前記履歴情報に記録する、請求項２に記載の情報処理装置である。
【０００８】
また、請求項４に記載の発明は、前記記録部は、予め定められた操作がユーザにより行われたデータおよび格納先の少なくともいずれかの履歴を前記履歴情報に記録し、前記選択部は、前記履歴一覧に表示された前記履歴に係る前記データおよび前記格納先の少なくともいずれかを選択する、請求項１から３のいずれかに記載の情報処理装置である。
【０００９】
また、請求項５に記載の発明は、前記記録部は、ユーザにより複製操作または移動操作がされたデータおよび格納先の少なくともいずれかの履歴を前記履歴情報に記録し、前記選択部は、前記履歴一覧に表示された前記履歴に係る前記データおよび前記格納先の少なくともいずれかのうち、前記複製操作がされる前の該格納先か、前記複製操作または前記移動操作がされた後の該格納先か、前記複製操作または前記移動操作がされる前の該データの格納先か、前記複製操作または移動操作がされた後の該データの格納先か、のいずれかを選択する、請求項１から４のいずれかに記載の情報処理装置である。
【００１０】
前記選択部は、前記履歴一覧に表示された前記履歴に係る前記データのうち、前記複製操作がされる前の該データか、前記複製操作または前記移動操作がされた後の該データのいずれかを選択し、前記情報処理装置は、前記選択部により選択された前記データの内容を表す画像を表示するデータ内容表示部を有する、請求項５に記載の情報処理装置である。
【００１１】
また、請求項７に記載の発明は、ユーザにより情報処理の対象として選択されたデータの履歴を履歴情報に記録する記録部を有するサーバ装置と、前記履歴情報に記録された前記履歴の一覧である履歴一覧を表示する履歴表示部と、前記履歴一覧に表示されたいずれかの前記履歴に係る前記データの格納先を選択する選択部と、選択された格納先に格納されたデータの一覧である格納先データ一覧を表示する格納先データ表示部を有する情報処理装置と、を有する情報処理システムである。
【００１２】
また、請求項８に記載の発明は、コンピュータを、ユーザにより情報処理の対象として選択されたデータの履歴を履歴情報に記録する記録部と、前記履歴情報に記録された前記履歴の一覧である履歴一覧を表示する履歴表示部と、前記履歴一覧に表示されたいずれかの前記履歴に係る前記データの格納先を選択する選択部と、選択された格納先に格納されたデータの一覧である格納先データ一覧を表示する格納先データ表示部と、を有する情報処理装置として機能させるプログラムである。
【発明の効果】
【００１３】
上記請求項１に記載の情報処理装置によれば、過去に情報処理の対象として選択されたデータと同じ格納先に格納されたデータの一覧表示を、手動により格納先を探索する場合に比べて簡便な操作により行うことができる。
【００１４】
また、上記請求項２に記載の情報処理装置によれば、過去に閲覧された格納先の履歴を表示することができる。
【００１５】
また、上記請求項３に記載の情報処理装置によれば、一定時間表示された格納先の履歴を表示することができる。
【００１６】
また、上記請求項４に記載の情報処理システムによれば、予め定められた操作がされた格納先やデータの履歴を表示することができる。
【００１７】
また、上記請求項５に記載の情報処理システムによれば、過去に複製または移動された格納先やデータについて、複製または移動の前後の格納先に格納されたデータの一覧を表示することができる。
【００１８】
また、上記請求項６に記載の情報処理システムによれば、ユーザにより複製または移動されたことがあるデータについて、複製の前後、または、移動後のデータの内容を表す画像を表示することができる。
【００１９】
また、上記請求項７に記載の情報処理システムによれば、過去に情報処理の対象として選択されたデータと同じ格納先に格納されたデータの一覧表示を、手動により格納先を探索する場合に比べて簡便な操作により行うことができる。
【００２０】
また、上記請求項８に記載のプログラムによれば、コンピュータを用いて、過去に情報処理の対象として選択されたデータと同じ格納先に格納されたデータの一覧表示を、手動により格納先を探索する場合に比べて簡便な操作により行うことができる。
【図面の簡単な説明】
【００２１】
【図１】本実施形態に係る情報処理装置の外観を例示する図である。
【図２】情報処理装置のハードウェア構成を例示する図である。
【図３】情報処理装置の機能的構成を例示する機能ブロック図である。
【図４】格納先データ一覧が表示された表示画面を例示する図である
【図５】プレビュー画像が表示された表示画面を例示する図である。
【図６】第１の実施形態に係る履歴情報を例示する図である。
【図７】第１の実施形態に係る履歴一覧が表示された表示画面を例示する図である。
【図８】日付ボタン選択後の履歴一覧が表示された表示画面を例示する図である。
【図９】第２の実施形態に係る履歴情報を例示する図である。
【図１０】第２の実施形態に係る履歴一覧が表示された表示画面を例示する図である。
【図１１】履歴一覧が表示された表示画面の一部分を例示する図である。
【発明を実施するための形態】
【００２２】
以下、本発明に係る幾つかの実施形態の例について説明する。なお、本明細書の各図について、既出の図に関して前述したものと同様の要素には同一の符号を付して、詳細な説明を適宜省略することがある。
【００２３】
［１．第１の実施形態］
図１は、本実施形態に係る情報処理装置の外観を例示する図である。情報処理装置１は、ユーザによって使用される端末装置であり、例えば、スマートフォンなどの携帯電話、タブレット型コンピュータ、又はラップトップ型コンピュータなどである。本実施形態では、情報処理装置１がスマートフォンであることとして説明する。
【００２４】
図２は、情報処理装置１のハードウェア構成を例示する図である。情報処理装置１は、制御部１１と、記憶部１２と、通信部１３と、表示部１４と、音声出力部１５と、操作部１６とを含んで構成される。
【００２５】
制御部１１は、例えばマイクロプロセッサなどを含んで構成される。制御部１１は、記憶部１２に記憶されているオペレーティングシステムやプログラムに従って動作し、各種の演算処理を実行するとともに、情報処理装置１の各部を制御する。なお、上記プログラムは、データ通信可能なネットワークを介して提供されるものであってもよいし、フラッシュメモリなどのコンピュータで読み取り可能な記憶媒体に記憶されて提供されるものであってもよい。
【００２６】
記憶部１２は、例えばＲＡＭやフラッシュメモリなどのメモリ素子やハードディスクドライブなどにより構成される。記憶部１２は、プログラムやデータ、情報処理装置１の各部から入力される情報や演算結果を記憶する。
【００２７】
通信部１３は、例えば無線ＬＡＮの集積回路やアンテナなどにより構成されている。通信部１３は、コンピュータ通信網や携帯電話網などのデータ通信可能なネットワークを介して、他の装置とのデータの授受を実現する。
【００２８】
表示部１４は、例えば液晶ディスプレイや有機ＥＬディスプレイなどであり、情報処理装置１の表面に設けられたディスプレイ１４Ｄ（図１参照）を含む。表示部１４は、制御部１１の指示に従って画面を表示する。
【００２９】
音声出力部１５は、例えばスピーカやヘッドホンなどであり、制御部１１の指示に従って音声を出力する。
【００３０】
操作部１６は、ユーザが操作を行うためのものである。操作部１６は、例えばボタンやタッチパネルなどの入力デバイスにより構成され、情報処理装置１の表面に設けられたボタン１６Ｂや、ディスプレイ１４Ｄの上に重ねて設けられるタッチパネル１６Ｔ（図１参照）を含む。ここで、タッチパネル１６Ｔは一般的なタッチパネルであり、ユーザによって接触された位置を、ディスプレイ１４Ｄに表示された表示画面内の位置として検出する。
【００３１】
図３は、情報処理装置１の機能的構成を例示する機能ブロック図である。同図に示すように、情報処理装置１は、機能的に格納先データ表示部２０と、選択部２１と、データ内容表示部２２と、履歴情報記録部２３と、履歴表示部２４とを有する。これらの機能は、制御部１１が記憶部１２に記憶されたオペレーティングシステムおよびプログラムを実行し、制御部１１が表示部１４や操作部１６などを制御することにより実現されることとしてよい。また、情報処理装置１は、機能的にデータ格納部３０と、履歴情報格納部３１とを有する。これらの機能は、主に記憶部１２が各部に応じた情報を記憶することにより実現されるこことしてよい。
【００３２】
データ格納部３０は、主に記憶部１２により実現される。データ格納部３０は、一または複数のデータを格納するための格納先が備えられたものである。なお、ここでのデータとは、特定の種類や形式に限定されるものではなく、例えば、文書データ、画像データ、音声データ、動画データなどを含むこととしてよい。また、データ格納部３０は、オペレーティングシステムが提供する、いわゆるファイルシステムとして管理されるようにしてもよく、本実施形態では、複数のデータ（以降、ファイルとも呼ぶ）を格納するための複数の格納先（以降、フォルダとも呼ぶ）が階層構造となって構成されているものとする。
【００３３】
格納先データ表示部２０は、主に制御部１１、表示部１４により実現される。格納先データ表示部２０は、選択された格納先に格納されたデータの一覧である格納先データ一覧を表示する。なお、ここでの格納先データ一覧は、当該格納先に格納されたデータの他にも、この格納先の直下の格納先（いわゆるサブフォルダ）を含むものであってもよい。格納先データ表示部２０は、例えば、ある特定のフォルダに格納されたファイルやフォルダの一覧を含んだ表示画面を、情報処理装置１の表面に設けられたディスプレイ１４Ｄに表示する。
【００３４】
図４は、格納先データ一覧が表示された表示画面を例示する図である。同図に示すように、表示画面１００には、タイトル１０１と、フォルダ画像１０２と、ファイル画像１０３と、戻るボタン１０４と、ルートボタン１０５と、履歴ボタン１０６が配置される。タイトル１０１には、フォルダの名称、または、階層構造におけるフォルダの所在を示す情報（例えば、フォルダパスや、最上位のフォルダを意味する「ルート」などの文字列）が表示される。また、フォルダ画像１０２、ファイル画像１０３、戻るボタン１０４、ルートボタン１０５、履歴ボタン１０６のそれぞれは、ユーザにより選択可能な状態で配置される。
【００３５】
選択部２１は、主に制御部１１、操作部１６により実現される。選択部２１は、操作部１６により検出された表示画面１００に対するユーザの指示位置に基づいて、表示画面１００に配置された要素のうちいずれかを選択する。例えば、ユーザは表示画面１００に表示された画像やボタンなどに指等を接触させることにより、各種画像やボタンにそれぞれ関連付けられた機能の実行を指示する。
【００３６】
格納先データ表示部２０は、選択部２１の選択結果に応じて、表示画面１００の表示内容を更新する。具体的には、ユーザによりフォルダ画像１０２が選択された場合、格納先データ表示部２０は、選択されたフォルダの格納先データ一覧を、これまで表示されていた画面に代えて表示画面１００に表示する。
【００３７】
また、ユーザによりファイル画像１０３が情報処理の対象として選択された場合、選択されたファイルの種類に応じて予め定められた情報処理が実行される。例えば、選択されたファイルが文書ファイルである場合、文書閲覧用のアプリケーションプログラムが起動され、この文書ファイルが閲覧可能な状態で表示画面１００に表示される。また例えば、選択されたファイルが音声ファイルや動画ファイルである場合、これらに関連付けられたアプリケーションプログラムが起動され、音声や動画の再生が行われる。以降、ファイルの種類に応じた情報処理が実行されることを、ファイルへのアクセスが行われることとも言う。
【００３８】
なお、ユーザによりファイル画像１０３が選択された場合、上記のようにアプリケーションプログラムを実行する代わりに、選択されたファイルの内容を表す画像（以降、プレビュー画像とも呼ぶ）を表示するようにしてもよい。ここで、データ内容表示部２２は、選択部２１により選択されたデータの内容を表す画像を表示する。なお、データ内容表示部２２は、主に制御部１１、表示部１４により実現される。
【００３９】
図５は、プレビュー画像が表示された表示画面１００を例示する図である。同図に示すように、ここでの表示画面１００には、選択されたファイル名を示すタイトル１０１と、選択されたファイルの内容を表すプレビュー画像１３１とが表示される。また、ここでの表示画面１００には、開くボタン１３２が選択可能な状態で配置される。ここで、ユーザにより開くボタン１３２が選択された場合、アプリケーションプログラムが実行されて、当該プレビュー画像１３１が表示されたファイルへのアクセスが行われる。
【００４０】
なお、図５に例示したプレビュー画像１３１が表示された表示画面１００には、図４に例示した格納先データ一覧が表示された表示画面１００と同様に、戻るボタン１０４と、ルートボタン１０５と、履歴ボタン１０６がそれぞれ選択可能な状態で配置される。ここで、ユーザにより戻るボタン１０４が選択された場合、表示画面１００は現在の表示内容が表示される一つ前の表示内容に更新される。また、ユーザによりルートボタン１０５が選択された場合、階層構造における最上位のフォルダであるルートフォルダに格納されたファイルやフォルダの一覧である格納先データ一覧が表示される。また、ユーザにより履歴ボタン１０６が選択された場合、表示画面１００に履歴一覧を表示する。履歴一覧の詳細については後述する。
【００４１】
履歴情報記録部２３は、主に制御部１１により実現される。履歴情報記録部２３は、ユーザにより情報処理の対象として選択されたデータの履歴を履歴情報に記録する。ここで、ユーザにより情報処理の対象とされたデータとは、例えば、格納先データ一覧に表示されたファイルのうち、選択部２１により選択され、アプリケーションプログラムを介して予め定められた情報処理が実行されたファイルのことである。履歴情報記録部２３は、ファイルに対するアクセスの有無を監視し、ファイルへのアクセスがあった場合に、当該ファイルに関する履歴を履歴情報に記録する。
【００４２】
また、履歴情報記録部２３は、ユーザにより閲覧された格納先の履歴を履歴情報に記録する。ここで、ユーザにより閲覧された格納先とは、格納先データ表示部２０により表示されたファイルやフォルダの一覧である格納先データ一覧に係る格納先のことである。例えば、図４に例示した格納先一覧が表示された場合、履歴情報記録部２３は、「Ａフォルダ」を格納先の履歴として、履歴情報に記録する。
【００４３】
なお、履歴情報記録部２３は、格納先データ一覧が予め定められた時間表示された格納先を履歴情報に記憶するようにしてもよい。具体的には、履歴情報記録部２３は、格納先データ一覧が表示画面１００に表示された時間を計測し、この時間が予め定められた時間を超えた場合に、表示された格納先データ一覧に係るフォルダの履歴を、履歴情報に記録すればよい。なお、履歴情報記録部２３は、格納先データ一覧が継続して表示された時間を計測するようにしてもよく、また、ある期間における累計時間（例えば、１日のうちに表示された時間の累計）を計測するようにしてもよい。
【００４４】
図６は、第１の実施形態に係る履歴情報を例示する図である。同図に示すように、履歴情報は、例えばユーザによりファイルがアクセスされた日時またはフォルダが閲覧された日時と、ファイルかフォルダかを分類する情報と、ファイル名またはフォルダ名の情報と、ファイルパスまたはフォルダパスを含む。履歴情報記録部２３は、ユーザによりファイルがアクセスされた場合、このファイルに対するアクセス日時と、ファイル名と、ファイルパスとを含むファイルの履歴に関する履歴情報を、履歴情報格納部３１に記録する。また、履歴情報記録部２３は、ユーザによりフォルダが閲覧された場合、このフォルダに対する閲覧日時と、フォルダ名と、フォルダパスとを含むフォルダの履歴に関する履歴情報を、履歴情報格納部３１に記録する。
【００４５】
履歴表示部２４は、主に制御部１１、表示部１４により実現される。履歴表示部２４は、履歴情報に記録された履歴の一覧である履歴一覧を表示する。具体的には、履歴表示部２４は、履歴情報格納部３１に格納された履歴情報を参照し、この履歴情報に記録されたファイルおよびフォルダに関する履歴一覧を表示する。
【００４６】
図７は、第１の実施形態に係る履歴一覧が表示された表示画面１００を例示する図である。同図に示すように、ここでの表示画面１００には、フォルダ選択ボタン１１１、ファイル選択ボタン１１２、ファイル格納先選択ボタン１１３、日付ボタン１１４、および、フィルタリングボタン１２１、ソートボタン１２２がそれぞれ選択可能な状態で配置される。なお、本実施形態に係る履歴一覧を、以降、アクセス履歴一覧とも呼ぶ。
【００４７】
履歴表示部２４は、履歴情報においてフォルダの履歴が記録されている場合、このフォルダに関するフォルダ選択ボタン１１１を表示画面１００に配置する。フォルダ選択ボタン１１１には、履歴情報に記録されたフォルダ名およびフォルダパス、フォルダの履歴であることを示す画像などが表示される。
【００４８】
選択部２１は、履歴一覧に表示された格納先のうちのいずれかを選択し、格納先データ表示部２０は、選択された格納先に格納されたデータの一覧である格納先データ一覧を表示する。具体的には、ユーザによりフォルダ選択ボタン１１１が選択された場合、表示画面１００には、選択されたフォルダに格納されたファイルやフォルダの一覧である格納先データ一覧が表示される。例えば、図７に示すフォルダ選択ボタン１１１のうち「Ａフォルダ」が選択された場合、表示画面１００には、「Ａフォルダ」の格納先データ一覧（図４参照）が表示される。
【００４９】
また、履歴表示部２４は、履歴情報にファイルの履歴が記録されている場合、このファイルに関するファイル選択ボタン１１２およびファイル格納先選択ボタン１１３を表示画面１００に配置する。ファイル選択ボタン１１２には、履歴情報に記録されたファイル名およびファイルの格納先、ファイルの履歴であることを示す画像などが表示される。なお、ここでのファイルの格納先とは、このファイルを他の格納先を介さずに直接に格納する格納先のことである。履歴表示部２４は、履歴情報におけるファイルパスのうち先頭文字から最後尾の「／」までの文字列を抽出することによって、このファイルの格納先であるフォルダのフォルダパスを特定すればよい。
【００５０】
選択部２１は、履歴一覧に表示されたデータのうちのいずれかを選択し、データ内容表示部２２は、選択されたデータの内容を表す画像を表示する。具体的には、ユーザによりファイル選択ボタン１１２が選択された場合、表示画面１００には、選択されたファイルの内容を表すプレビュー画像１３１が表示される。例えば、図７に示すファイル選択ボタン１１２のうち「ａファイル」が選択された場合、表示画面１００には、「ａファイル」のプレビュー画像１３１（図５参照）が表示される。
【００５１】
また、選択部２１は、履歴一覧に表示されたいずれかのデータの格納先を選択し、格納先データ表示部２０は、選択された格納先に格納されたデータの一覧である格納先データ一覧を表示する。具体的には、ユーザによりファイル格納先選択ボタン１１３が選択された場合、表示画面１００には、選択されたフォルダに格納されたファイルやフォルダの一覧である格納先データ一覧が表示される。例えば、図７に示すファイル格納先選択ボタン１１３のうち「ａファイル」に対応するボタンが選択された場合、「Ａフォルダ」の格納先データ一覧（図４参照）が表示される。
【００５２】
また、履歴情報に現在と比べて前日のアクセス日時、または、前日の閲覧日時が記録されたレコードが存在する場合、履歴表示部２４は、これらの履歴に係るフォルダ選択ボタン１１１またはファイル選択ボタン１１２を表示する代わりに、日付ボタン１１４を表示する。例えば、履歴表示部２４が図６に例示した履歴情報を参照する場合であって、かつ、現在の日付が２０１３／１１／１９である場合、履歴情報には、アクセス日時（または閲覧日時）が、２０１３／１１／１８、２０１３／１１／１７のレコードが存在する為、これらの日付に対応する日付ボタン１１４が表示される。
【００５３】
また、ユーザにより日付ボタン１１４が選択された場合、履歴表示部２４は、選択された日付に応じた履歴一覧を表示する。図８は、日付ボタン１１４選択後の履歴一覧が表示された表示画面１００を例示する図である。同図に示すように、ここでの履歴一覧には、図６に示した履歴情報において、ファイルのアクセス日時、または、フォルダの閲覧日時が２０１３／１１／１８のファイルおよびフォルダに関する一覧が表示される。なお、同図に示した表示画面１００の各種ボタンが選択された場合、図７に示した履歴一覧のボタンが選択された場合と同様の処理が行われる。
【００５４】
また、図７および図８に示した履歴一覧が表示される表示画面１００においては、表示された履歴一覧に対し、いわゆるフィルタリング処理やソート処理を実行するボタンが配置されるようにしてもよい。具体的には、ユーザによりフィルタリングボタン１２１が選択された場合、表示画面１００には、「ファイルのみ」、「フォルダのみ」、「全て」といった文字列が、それぞれ選択可能な状態で表示される。ここで、「ファイルのみ」が選択された場合、履歴表示部２４はフォルダ選択ボタン１１１を非表示とし、非表示としたことで生じた空白の行を詰めた履歴一覧を表示する。また、「フォルダのみ」が選択された場合、履歴表示部２４はファイル選択ボタン１１２およびファイル格納先選択ボタン１１３を非表示とし、行を詰めた履歴一覧を表示する。なお、「全て表示」が選択された場合、履歴表示部２４は、フォルダ選択ボタン１１１、ファイル選択ボタン１１２、ファイル格納先選択ボタン１１３をいずれも非表示としないで、履歴一覧を表示する。
【００５５】
また、ユーザによりソートボタン１２２が選択された場合、表示画面１００には、「アクセス日時」「アクセス回数」「総閲覧時間」といったソート条件の内容を示す文字列が、それぞれ選択可能な状態で表示される。さらに上記表示された文字のうちいずれかが選択されることによって、履歴一覧に表示されたフォルダ選択ボタン１１１や、ファイル選択ボタン１１２およびファイル格納先選択ボタン１１３に対する並べ替えが行われる。なお、上記のソート機能を実現する場合、履歴情報記録部２３は、ファイルがアクセスされた回数（または、フォルダが閲覧された回数）である「アクセス回数」や、ファイルがアクセスされた時間の累計（または、フォルダがユーザにより閲覧された時間の累計）である「総アクセス時間」を履歴情報に記録し、履歴表示部２４は、選択されたソート条件に応じた並べ替えを実施するようにすればよい。また、ソート条件は上記に限定されず、履歴表示部２４はその他の条件に基づいて並び替えを行うものであってもよい。
【００５６】
以上のように、第１の実施形態では、履歴一覧が表示画面１００に表示される。また、履歴一覧に表示された格納先やデータうち、いずれかがユーザにより選択されることによって、選択された格納先に格納されたデータの一覧である格納先データ一覧や、選択されたデータのプレビュー画像１３１が、表示画面１００に表示される。
【００５７】
［２．第２の実施形態］
次に、第２の実施形態に係る情報処理システムについて説明する。本実施形態では、ユーザにより複製操作または移動操作がされたデータおよび格納先の履歴が履歴情報に記録され、このような履歴が記録された履歴一覧が表示される点で、第１の実施形態とは異なっている。
【００５８】
なお、本実施形態に係る情報処理装置１のハードウェア構成、機能的構成は、第１の実施形態と同様である。以下では、本実施形態について、第１の実施形態とは異なる点を中心に説明する。
【００５９】
本実施形態においては、履歴情報記録部２３は、ユーザにより複製操作または移動操作がされたデータおよび格納先の少なくともいずれかの履歴を履歴情報に記録する。具体的には、複製操作されたファイルの履歴、移動操作されたファイルの履歴、複製操作されたフォルダの履歴、移動操作されたフォルダの履歴の４点のうちの一部または全部が、履歴情報に記録されることとしてよい。
【００６０】
図９は、第２の実施形態に係る履歴情報を例示する図である。同図に示すように、本実施形態に係る履歴情報は、ファイルまたはフォルダに対する操作が複製操作か移動操作かを識別する情報と、複製または移動操作が行われる以前のファイルパス（または、フォルダパス）である操作前パスと、複製または移動操作が行われた後のファイルパス（または、フォルダパス）である操作後パスを含む。履歴情報記録部２３は、ユーザによりファイルが複製操作または移動操作された場合、当該操作がされた直前および直後のファイルパスなどの情報を、ファイルの履歴として履歴情報の新たなレコードに記録するとともに、履歴情報を履歴情報格納部３１に格納する。また、履歴情報記録部２３は、ユーザによりフォルダが複製操作または移動操作された場合、当該操作がされた直前および直後のフォルダパスなどの情報を、フォルダの履歴として履歴情報の新たなレコードに記録するとともに、履歴情報を履歴情報格納部３１に格納する。
【００６１】
履歴表示部２４は、履歴情報に記録された履歴の一覧である履歴一覧を表示する。図１０は、第２の実施形態に係る履歴一覧が表示された表示画面１００を例示する図である。同図に示すように、ここでの表示画面１００には、フォルダ操作履歴欄１４０、ファイル操作履歴欄１５０が表示される。なお、本実施形態に係る履歴一覧を、以降、操作履歴一覧とも呼ぶ。
【００６２】
履歴表示部２４は、履歴情報においてフォルダの履歴が記録されている場合、このフォルダに関するフォルダ操作履歴欄１４０を表示する。フォルダ操作履歴欄１４０には、操作前フォルダ格納先ボタン１４１、操作前フォルダボタン１４２、操作後フォルダ格納先ボタン１４３、操作後フォルダボタン１４４、がそれぞれ選択可能な状態で配置される。
【００６３】
また、履歴表示部２４は、履歴情報においてファイルの履歴が記録されている場合、このファイルに関するファイル操作履歴欄１５０を表示する。ファイル操作履歴欄１５０には、操作前ファイル格納先ボタン１５１、操作前ファイルボタン１５２、操作後ファイル格納先ボタン１５３、操作後ファイルボタン１５４、がそれぞれ選択可能な状態で配置され、履歴情報に記録されたユーザによる操作の内容が表示される。なお、フォルダ操作履歴欄１４０およびファイル操作履歴欄１５０のそれぞれには、操作日時や操作内容などの履歴情報に記録された情報が表示されることとしてもよい。
【００６４】
なお、本実施形態における履歴一覧が表示された表示画面１００においては、第１の実施形態と同様に、日付ボタン１１４やフィルタリングボタン１２１、ソートボタン１２２が表示され、これらのボタンに対応する機能が提供されるようにしてもよい。
【００６５】
ここで、選択部２１は、履歴一覧に表示されたデータおよび格納先の少なくともいずれかのうち、複製操作がされる前の格納先か、複製操作または移動操作がされた後の格納先か、複製操作または移動操作がされる前のデータの格納先か、複製操作または移動操作がされた後のデータの格納先か、のいずれかを選択し、格納先データ表示部２０は、選択された格納先に格納されたデータの一覧である格納先データ一覧を表示する。具体的には、操作前フォルダボタン１４２、操作後フォルダボタン１４４、操作前ファイル格納先ボタン１５１、操作後ファイル格納先ボタン１５３のいずれかがユーザにより選択された場合、表示画面１００には、選択されたフォルダに応じた格納先データ一覧が表示される。以下に、格納先データ一覧が表示される場合について例示する。
・操作前フォルダボタン１４２「Ｅフォルダ」が選択された場合、フォルダパス「ｘｘｘ／ＺＺ／元フォルダＥ／Ｅフォルダ」における格納先データ一覧が表示される。
・操作後フォルダボタン１４４「Ｅフォルダ」が選択された場合、フォルダパス「ｘｘｘ／ＺＺ／先フォルダＥ／Ｅフォルダ」における格納先データ一覧が表示される。
・操作前ファイル格納先ボタン１５１「元フォルダＧ」が選択された場合、フォルダパス「ｘｘｘ／ＺＺ／元フォルダＧ」における格納先データ一覧が表示される。
・操作後ファイル格納先ボタン１５３「先フォルダＧ」が選択された場合、フォルダパス「ｘｘｘ／ＺＺ／先フォルダＧ」における格納先データ一覧が表示される。
【００６６】
また、操作前フォルダ格納先ボタン１４１、操作後フォルダ格納先ボタン１４３が選択された場合も、選択されたフォルダに応じた格納先データが表示される。なお、操作前フォルダ格納先ボタン１４１、操作後フォルダ格納先ボタン１４３、操作前ファイル格納先ボタン１５１、操作後ファイル格納先ボタン１５３のいずれかが選択された場合、履歴表示部２４は、履歴情報におけるフォルダパス（またはファイルパス）のうちの一部の文字列（例えば、先頭から最後尾の「／」までの文字列）を抽出することによって、フォルダおよびファイルが格納されたフォルダパスを特定すればよい。
【００６７】
また、選択部２１は、履歴一覧に表示されたデータのうち、複製操作がされる前のデータか、複製操作または移動操作がされた後のデータのいずれかを選択し、データ内容表示部２２は、選択されたデータの内容を表す画像を表示する。具体的には、操作前ファイルボタン１５２、操作後ファイルボタン１５４のいずれかがユーザにより選択された場合、表示画面１００には、選択されたファイルの内容を表すプレビュー画像１３１が表示される。以下に、プレビュー画像１３１が表示される場合について例示する。
・操作前ファイルボタン１５２「Ｇファイル」が選択された場合、ファイルパス「ｘｘｘ／ＺＺ／元フォルダＧ／Ｇファイル」のプレビュー画像１３１が表示される。
・操作後ファイルボタン１５４「Ｇファイル」が選択された場合、ファイルパス「ｘｘｘ／ＺＺ／先フォルダＧ／Ｇファイル」のプレビュー画像１３１が表示される。
【００６８】
以上のように、第２の実施形態では、ユーザにより複製操作または移動操作が行われたデータや格納先の履歴一覧が表示画面１００に表示される。また、履歴一覧に表示された格納先やデータのいずれかがユーザにより選択されることで、選択された格納先に格納されたデータの一覧である格納先データ一覧や、選択されたデータのプレビュー画像１３１が、表示画面１００に表示される。しかしながら、移動操作が行われる前のデータや格納先（具体的には、履歴情報の操作前パスに記録されたファイルやフォルダ）は、既に移動されていることから実際には存在しない蓋然性が高く、また、この他のデータや格納先についても、後に削除され、同じく存在しない場合もあると考えられる。このように、ユーザにより選択されたデータや格納先が実際には存在しない場合、プレビュー画像１３１や格納先データの一覧が表示されないように制御される。この際、履歴表示部２４は、データや格納先が存在しない旨を説明するテキストを表示画面１００に表示するようにしてもよく、また、表示画面１００に表示される履歴一覧において、既に存在しないデータや格納先に係るボタンを、予め操作不可とした状態（いわゆるグレーアウトの状態）で表示するようにしてもよい。
【００６９】
以上、本発明に係る実施形態の例について説明したが、これら実施形態に示した具体的な構成は一例として示したものであり、これに限定するものではない。当業者は、これら開示された実施形態を適宜変形してもよく、本明細書にて開示される発明の技術的範囲は、そのようになされた変形をも含むものと理解すべきである。
【００７０】
［３．変形例］
以下、本発明の実施形態を変形した一例（変形例）について説明する。
【００７１】
（１）第２の実施形態においては、ユーザにより複製操作または移動操作がされたデータや格納先の履歴を履歴情報に記録し、この履歴情報に基づく操作履歴一覧が表示される場合について説明した。履歴情報に記録される契機となる操作は、複製操作、移動操作に限定されるものではない。すなわち、履歴情報記録部２３は、予め定められた操作がユーザにより行われたデータおよび格納先の少なくともいずれかの履歴を履歴情報に記録するようにしてもよい。
【００７２】
より具体的には、履歴情報記録部２３は、予め定められた操作（例えば、送信操作、印刷操作など）が行われたファイルやフォルダの履歴を、履歴情報に記録する。履歴表示部２４は、このように履歴情報に記録された履歴の一覧である履歴一覧を表示し、選択部２１は、履歴一覧に表示されたデータおよび格納先の少なくともいずれかを選択する。また、格納先データ表示部２０は、選択部２１により選択された格納先に格納されたデータの一覧である格納先データ一覧を表示画面１００に表示し、データ内容表示部２２は、選択部２１により選択されたデータの内容を表す画像を表示する。このように、予め定められた操作がされたデータおよび格納先の履歴が記録され、表示画面１００の履歴一覧に表示されるようにしてもよい。
【００７３】
（２）第１の実施形態においては、ユーザにより情報処理の対象として選択されたデータおよび閲覧された格納先の履歴の一覧であるアクセス履歴一覧が表示される場合について説明した。また、第２の実施形態においては、ユーザにより複製操作または移動操作がされたデータや格納先の履歴の一覧である操作履歴一覧が表示される場合について説明した。履歴情報記録部２３は、第１の実施形態に対応する履歴情報と、第２の実施形態に対応する履歴情報との２種類の履歴情報を記録し、履歴表示部２４は、これらの履歴情報に対応する２種類の履歴一覧、すなわち、アクセス履歴一覧と、操作履歴一覧のそれぞれを表示画面１００に表示するようにしてもよい。履歴表示部２４は、ユーザによる選択操作に基づいて、アクセス履歴一覧と、操作履歴一覧との表示が切り替わるようにしてもよい。
【００７４】
図１１は、履歴一覧が表示された表示画面１００の一部分を例示する図である。図１１に示すように、履歴表示部２４は、アクセス履歴一覧と操作履歴一覧のうち何れかが表示された表示画面１００において、アクセス履歴一覧ボタン１６１と、操作履歴一覧ボタン１６２とをそれぞれ選択可能な状態で表示する。ここで、アクセス履歴一覧ボタン１６１がユーザにより選択された場合、履歴表示部２４は、アクセス履歴一覧を表示画面１００に表示し、操作履歴一覧ボタン１６２がユーザにより選択された場合、履歴表示部２４は、操作履歴一覧を表示画面１００に表示する。このように、ユーザの操作に応じて、表示される履歴一覧の種類が切り替わるようにしてもよい。
【００７５】
（３）実施形態に示した機能的構成は、情報処理装置１のハードウェアに限らず、外部の機器や装置により構成されてもよい。例えば、履歴記録部２３と、データ格納部３０と、履歴情報格納部３１とは、情報処理装置１にバスやネットワークを介して接続されるサーバ装置が有するようにしてもよい。
【００７６】
より具体的には、情報処理装置１は、通信部１３を用いて、ユーザにより情報処理の対象として選択されたデータに関する情報、または、ユーザにより閲覧された格納先に関する情報をサーバ装置に送信し、サーバ装置は送信された情報に基づいて履歴情報格納部３１に格納された履歴情報に記録する。履歴表示部２４は、サーバ装置に格納された履歴情報を、通信部１３を用いて受信することにより取得し、取得した履歴情報に基づいて、履歴一覧が表示された表示画面１００を表示する。このように、実施形態において説明した機能的構成は、一つの装置単体で実現される場合に限られず、複数の装置を含むシステムにより実現されるようにしてもよい。
【符号の説明】
【００７７】
１  情報処理装置、１１  制御部、１２  記憶部、１３  通信部、１４  表示部、１４Ｄ  ディスプレイ、１５  音声出力部、１６  操作部、１６Ｂ  ボタン、２０  格納先データ表示部、２１  選択部、２２  データ内容表示部、２３  履歴情報記録部、２４  履歴表示部、３０  データ格納部、３１  履歴情報格納部、１００  表示画面、１０１  タイトル、１０２  フォルダ画像、１０３  ファイル画像、１０４  戻るボタン、１０５  ルートボタン、１０６  履歴ボタン、１１１  フォルダ選択ボタン、１１２  ファイル選択ボタン、１１３  ファイル格納先選択ボタン、１１４  日付ボタン、１２１  フィルタリングボタン、１２２  ソートボタン、１３１  プレビュー画像、  １３２  開くボタン、１４０  フォルダ操作履歴欄、１４１  操作前フォルダ格納先ボタン、１４２  操作前フォルダボタン、１４３  操作後フォルダ格納先ボタン、１４４  操作後フォルダボタン、１５０  ファイル操作履歴欄、１５１  操作前ファイル格納先ボタン、１５２  操作前ファイルボタン、１５３  操作後ファイル格納先ボタン、１５４  操作後ファイルボタン、１６１  アクセス履歴一覧ボタン、１６２  操作履歴一覧ボタン。
【図１】
2015141576.tif 000003
【図２】
2015141576.tif 000004
【図３】
2015141576.tif 000005
【図４】
2015141576.tif 000006
【図５】
2015141576.tif 000007
【図６】
2015141576.tif 000008
【図７】
2015141576.tif 000009
【図８】
2015141576.tif 000010
【図９】
2015141576.tif 000011
【図１０】
2015141576.tif 000012
【図１１】
2015141576.tif 000013
【手続補正書】
【提出日】平成27年1月30日(2015.1.30)
【手続補正１】
【補正対象書類名】特許請求の範囲
【補正対象項目名】全文
【補正方法】変更
【補正の内容】
【特許請求の範囲】
【請求項１】
ユーザにより情報処理の対象として選択されたファイルの履歴を履歴情報に記録する記録部と、
前記履歴情報に記録された前記履歴に係る各ファイルを選択するためのファイル選択画像と、該ファイルが格納されたフォルダを選択するための格納先選択画像とを互いに対応付けて表示する履歴表示部と、
前記格納先選択画像が選択される場合、該格納先選択画像に係るフォルダに格納されたファイルの一覧を表示する格納先データ表示部と、
を有する情報処理装置。
【請求項２】
前記記録部は、ユーザにより閲覧されたフォルダの履歴を前記履歴情報に記録し、
前記履歴表示部は、前記履歴に係る各フォルダを選択するためのフォルダ選択画像を更に表示し、
前記格納先データ表示部は、前記フォルダ選択画像が選択される場合、該フォルダ選択画像に係るフォルダに格納されたファイルの一覧を表示する、請求項１に記載の情報処理装置。
【請求項３】
前記記録部は、ファイルの一覧が予め定められた時間表示されたフォルダの履歴を前記履歴情報に記録する、請求項２に記載の情報処理装置。
【請求項４】
前記記録部は、予め定められた操作がユーザにより行われたファイルおよびフォルダの少なくともいずれかの履歴を前記履歴情報に記録する、請求項１から３のいずれかに記載の情報処理装置。
【請求項５】
前記記録部は、ユーザにより複製操作または移動操作がされたファイルおよびフォルダの少なくともいずれかの履歴を前記履歴情報に記録し、
前記格納先データ表示部は、前記履歴に係るファイルおよびフォルダの少なくともいずれかのうち、前記複製操作がされる前の該フォルダか、前記複製操作または前記移動操作がされた後の該フォルダか、前記複製操作または前記移動操作がされる前の該ファイルが格納されたフォルダか、前記複製操作または移動操作がされた後の該ファイルが格納されたフォルダか、のいずれかに格納されたファイルの一覧を表示する、請求項１から４のいずれかに記載の情報処理装置。
【請求項６】
前記情報処理装置は、前記履歴一覧に表示された前記履歴に係る前記ファイルのうち、前記複製操作がされる前の該ファイルか、前記複製操作または前記移動操作がされた後の該ファイルのいずれかの内容を表す画像を表示するデータ内容表示部を更に有する、請求項５に記載の情報処理装置。
【請求項７】
ユーザにより情報処理の対象として選択されたファイルの履歴を履歴情報に記録する記録部を有するサーバ装置と、
前記履歴情報に記録された前記履歴の一覧である履歴一覧を、該履歴に係るファイルを選択するためのファイル選択画像と、該ファイルが格納されたフォルダを選択するための格納先選択画像とを対応付けた状態で表示する履歴表示部と、
前記格納先選択画像が選択される場合、該格納先選択画像に係るフォルダに格納されたファイルの一覧を表示する格納先データ表示部を有する情報処理装置と、
を有する情報処理システム。
【請求項８】
コンピュータを、
ユーザにより情報処理の対象として選択されたファイルの履歴を履歴情報に記録する記録部と、
前記履歴情報に記録された前記履歴の一覧である履歴一覧を、該履歴に係るファイルを選択するためのファイル選択画像と、該ファイルが格納されたフォルダを選択するための格納先選択画像とを対応付けた状態で表示する履歴表示部と、
前記格納先選択画像が選択される場合、該格納先選択画像に係るフォルダに格納されたファイルの一覧を表示する格納先データ表示部と、
を有する情報処理装置として機能させるプログラム。
【請求項９】
選択された格納先に格納されたデータの一覧である格納先データ一覧を表示する格納先データ表示部と、
ユーザにより情報処理の対象として選択されたデータの履歴と、前記格納先データ一覧が予め定められた時間表示された格納先の履歴と、を前記履歴情報に記録する記録部と、
前記履歴情報に記録された前記履歴の一覧である履歴一覧を表示する履歴表示部と、
を有する情報処理装置。
【手続補正書】
【提出日】平成27年6月4日(2015.6.4)
【手続補正１】
【補正対象書類名】特許請求の範囲
【補正対象項目名】全文
【補正方法】変更
【補正の内容】
【特許請求の範囲】
【請求項１】
ユーザにより情報処理の対象として選択されたファイルの履歴を履歴情報に記録する記録部と、
前記履歴情報に記録された前記履歴に係る各ファイルを選択するためのファイル選択画像と、該ファイルが格納されたフォルダを選択するための格納先選択画像とを互いに対応付けて表示する履歴表示部と、
前記格納先選択画像が選択される場合、該格納先選択画像に係るフォルダに格納されたファイルの一覧を表示する格納先データ表示部と、
を有する情報処理装置。
【請求項２】
前記記録部は、ユーザにより閲覧されたフォルダの履歴を前記履歴情報に記録し、
前記履歴表示部は、前記履歴に係る各フォルダを選択するためのフォルダ選択画像を更に表示し、
前記格納先データ表示部は、前記フォルダ選択画像が選択される場合、該フォルダ選択画像に係るフォルダに格納されたファイルの一覧を表示する、請求項１に記載の情報処理装置。
【請求項３】
前記記録部は、ファイルの一覧が予め定められた時間表示されたフォルダの履歴を前記履歴情報に記録する、請求項２に記載の情報処理装置。
【請求項４】
前記記録部は、予め定められた操作がユーザにより行われたファイルおよびフォルダの少なくともいずれかの履歴を前記履歴情報に記録する、請求項１から３のいずれかに記載の情報処理装置。
【請求項５】
前記記録部は、ユーザにより複製操作または移動操作がされたファイルおよびフォルダの少なくともいずれかの履歴を前記履歴情報に記録し、
前記格納先データ表示部は、前記履歴に係るファイルおよびフォルダの少なくともいずれかのうち、前記複製操作がされる前の該フォルダか、前記複製操作または前記移動操作がされた後の該フォルダか、前記複製操作または前記移動操作がされる前の該ファイルが格納されたフォルダか、前記複製操作または移動操作がされた後の該ファイルが格納されたフォルダか、のいずれかに格納されたファイルの一覧を表示する、請求項１から４のいずれかに記載の情報処理装置。
【請求項６】
前記情報処理装置は、前記履歴一覧に表示された前記履歴に係る前記ファイルのうち、前記複製操作がされる前の該ファイルか、前記複製操作または前記移動操作がされた後の該ファイルのいずれかの内容を表す画像を表示するデータ内容表示部を更に有する、請求項５に記載の情報処理装置。
【請求項７】
ユーザにより情報処理の対象として選択されたファイルの履歴を履歴情報に記録する記録部を有するサーバ装置と、
前記履歴情報に記録された前記履歴の一覧である履歴一覧を、該履歴に係るファイルを選択するためのファイル選択画像と、該ファイルが格納されたフォルダを選択するための格納先選択画像とを対応付けた状態で表示する履歴表示部と、
前記格納先選択画像が選択される場合、該格納先選択画像に係るフォルダに格納されたファイルの一覧を表示する格納先データ表示部を有する情報処理装置と、
を有する情報処理システム。
【請求項８】
コンピュータを、
ユーザにより情報処理の対象として選択されたファイルの履歴を履歴情報に記録する記録部と、
前記履歴情報に記録された前記履歴の一覧である履歴一覧を、該履歴に係るファイルを選択するためのファイル選択画像と、該ファイルが格納されたフォルダを選択するための格納先選択画像とを対応付けた状態で表示する履歴表示部と、
前記格納先選択画像が選択される場合、該格納先選択画像に係るフォルダに格納されたファイルの一覧を表示する格納先データ表示部と、
を有する情報処理装置として機能させるプログラム。